(57)【要約】【課題】フレキシブル基板及び閉塞部材が挿通される開口部の周囲において小型化が可能な携帯電子機器を提供する。【解決手段】携帯電話機１は、第２開口部２５が形成された表示側筐体５と、第２開口部２５に圧入されて第２開口部２５を閉塞する第２閉塞部材２９と、第２閉塞部材２９に挿通されることにより第２開口部２５に挿通されたＦＰＣ１７と、を有する。ＦＰＣ１７は、第２閉塞部材２９の内部において第２閉塞部材２９の圧入方向に対して傾斜している。【選択図】図５
2010109260.tif 000002
【特許請求の範囲】
【請求項１】
開口部が形成された第１の筐体と、
前記開口部に圧入されて前記開口部を閉塞する閉塞部材と、
前記閉塞部材に挿通されることにより前記開口部に挿通されたフレキシブル基板と、
を有し、
前記フレキシブル基板は、前記閉塞部材の内部において前記閉塞部材の圧入方向に対して傾斜している
携帯電子機器。
【請求項２】
前記開口部の開口方向に配置された被当接部材を有し、
前記フレキシブル基板は、前記閉塞部材から延出した後、前記被当接部材に当接しつつ前記圧入方向に対して更に傾斜する方向又は直交する方向へ屈曲している
請求項１に記載の携帯電子機器。
【請求項３】
前記被当接部材は、前記開口部を前記第１の筐体の外部から被覆する被覆部材である
請求項２に記載の携帯電子機器。
【請求項４】
前記フレキシブル基板は、前記閉塞部材内において、前記圧入方向に対して更に傾斜する方向又は直交する方向へ屈曲し、前記閉塞部材外へ延出する
請求項１に記載の携帯電子機器。
【請求項５】
前記開口部の開口方向に配置された被当接部材を有し、
前記閉塞部材は、側面における、前記被当接部材側の部分が前記開口部から露出し、
前記フレキシブル基板は、前記側面の前記開口部から露出する部分から延出し、
前記閉塞部材の前記被当接部材側の面は、前記被当接部材に当接している
請求項１に記載の携帯電子機器。
【請求項６】
前記開口部を前記第１の筐体の外部から被覆する被覆部材を有し、
前記被当接部材は、前記第１の筐体と前記被覆部材との間に配置され、前記被覆部材と前記第１の筐体とを接着する両面接着部材であり、前記閉塞部材の当該両面接着部材側の面にも接着されている
請求項５に記載の携帯電子機器。
【請求項７】
前記第１の筐体に対して相対移動可能に連結された第２の筐体と、
前記第１の筐体内に配設された第１の電子部品と、
前記第２の筐体内に配設された第２の電子部品と、
を有し、
前記フレキシブル基板は、前記閉塞部材を境とする一方側の部分が前記第１の電子部品に接続され、他方側の部分が前記第２の電子部品に接続されている
請求項１〜６のいずれか１項に記載の携帯電子機器。
【請求項８】
前記フレキシブル基板は複数設けられ、
当該複数のフレキシブル基板は、前記閉塞部材の内部において積層されている
請求項１〜７のいずれか１項に記載の携帯電子機器。
【請求項９】
前記閉塞部材は、
前記フレキシブル基板が挿通され、前記開口部に配置されるグロメットと、
前記グロメットの前記開口部の内周面に対向する外周面に嵌められ、前記開口部の内周面に圧接される環状のパッキンと、
を有し、
前記グロメットの外周面には、前記フレキシブル基板の主面の一方側及び他方側にそれぞれ、前記パッキンが嵌め込まれる第１の溝部及び第２の溝部が形成され、
前記第１の溝部及び前記第２の溝部は、前記フレキシブル基板の前記グロメットへの挿通方向において互いにずれた位置に配置されており、
前記第１の溝部の前記パッキンを挟んで対向する２つの内壁のうち、前記挿通方向において前記第２の溝部側の内壁は、前記フレキシブル基板の前記グロメットに挿通された部分の主面に直交し、又は、直交する角度よりも前記第１の溝部の開口が拡幅する側へ傾斜し、
前記第２の溝部の前記パッキンを挟んで対向する２つの内壁のうち、前記挿通方向において前記第１の溝部側の内壁は、前記フレキシブル基板の前記グロメットに挿通された部分の主面に直交し、又は、直交する角度よりも前記第２の溝部の開口が拡幅する側へ傾斜する
請求項１〜８のいずれか１項に記載の携帯電子機器。
【請求項１０】
前記第１の溝部の２つの内壁のうち、前記挿通方向において前記第２の溝部とは反対側の内壁は、前記フレキシブル基板の側方において前記第２の溝部側へ延長されており、
前記第２の溝部の２つの内壁のうち、前記挿通方向において前記第１の溝部とは反対側の内壁は、前記フレキシブル基板の側方において前記第１の溝部側へ延長されており、
これらの延長された部分は、前記フレキシブル基板の前記グロメットに挿通された部分の主面に直交する方向において、互いに重ならない
請求項９に記載の携帯電子機器。
【請求項１１】
前記第１の筐体は、
第１ケース部材と、
前記第１ケース部材の一方の面に対向して配置され、前記第１ケース部材との間に、密閉された第１空間と、前記一方の面に沿う方向において前記第１空間に隣接する第２空間とを構成する第２ケース部材と、
前記第１ケース部材の他方の面に対向して配置され、前記第１ケース部材との間に、密閉された第３空間を構成する第３ケース部材と
を有し、
前記第１空間と前記第３空間とは連通されており、
前記開口部は、前記第１ケース部材において形成され、前記第１ケース部材及び前記第２ケース部材の対向方向に開口し、前記第２空間と前記第３空間とを連通し、
前記フレキシブル基板は、前記閉塞部材から延出した後、前記第１乃至第３ケース部材の互いに対向する面に沿う方向に延びるように屈曲している
請求項１〜１０のいずれか１項に記載の携帯電子機器。
【請求項１２】
開口部が形成された筐体と、
前記開口部に圧入されて前記開口部を閉塞する閉塞部材と、
前記閉塞部材に挿通されることにより前記開口部に挿通されたフレキシブル基板と、
を有し、
前記フレキシブル基板は、前記閉塞部材の圧入方向に対して傾斜又は直交した状態で前記閉塞部材の内部から外部へ延出する
携帯電子機器。
【請求項１３】
フレキシブル基板が挿通され、外周面に形成された溝部に環状のパッキンが嵌め込まれるグロメットを形成するグロメット形成用金型であって、
第１の分割金型と、
前記第１の分割金型との間にキャビティを構成する第２の分割金型と、
を有し、
前記第１の分割金型及び前記第２の分割金型の分割面は平面状であり、
前記キャビティは、
前記分割面に沿って延び、前記分割面に平行に前記フレキシブル基板を収容可能な基板配置部と、
前記基板配置部の延びる方向において前記基板配置部の一部を包含して形成され、前記グロメットを形成するグロメット形成部と、
を有し、
前記第１の分割金型の前記グロメット形成部を構成する面には、前記分割面側へ突出し、前記分割面の平面視において前記基板配置部の延びる方向に交差する方向に延び、前記溝部の一部を形成する第１の突条部が形成され、
前記第２の分割金型の前記グロメット形成部を構成する面には、前記分割面側へ突出し、前記分割面の平面視において前記交差する方向に延び、前記溝部の他の一部を形成する第２の突条部が形成され、
前記第１の突条部及び前記第２の突条部は、前記基板配置部の延びる方向において互いにずれた位置に設けられている
グロメット成形用金型。
【請求項１４】
前記第１の突条部の２つの外壁のうち、前記基板配置部の延びる方向において前記第２の突条部側の外壁は前記分割面に直交し、又は、直交する角度よりも前記突条部の根元が拡幅する側へ傾斜し、
前記第２の突条部の２つの外壁のうち、前記基板配置部の延びる方向において前記第１の突条部側の外壁は前記分割面に直交し、又は、直交する角度よりも前記突条部の根元が拡幅する側へ傾斜する
請求項１３に記載のグロメット成形用金型。
【請求項１５】
前記第１の突条部の２つの外壁のうち前記第２の突条部とは反対側の外壁は、前記基板配置部の側方において前記第２の突条部側へ延長されており、
前記第２の突条部の２つの外壁のうち前記第１の突条部とは反対側の外壁は、前記基板配置部の側方において前記第１の突条部側へ延長されており、
これらの延長された部分は、前記分割面に直交する方向において、互いに重ならない
請求項１４に記載のグロメット成形用金型。
【発明の詳細な説明】
【技術分野】
【０００１】
本発明は、携帯電話機、ＰＤＡ、ゲーム機等の携帯電子機器及び当該携帯電子機器の製造に係るグロメット成形用金型に関する。
【背景技術】
【０００２】
筐体に形成された開口部に挿通されるフレキシブル基板を保護したり、開口部からの筐体内への水分等の侵入を抑制したりするために、フレキシブル基板が挿通されたガスケット（閉塞部材）を開口部に圧入する技術が知られている（特許文献１）。特許文献１では、フレキシブル基板は、ガスケットの開口部への圧入方向に平行に、ガスケットに挿通されている。
【特許文献１】実用新案登録第３１２７０７１号公報
【発明の開示】
【発明が解決しようとする課題】
【０００３】
閉塞部材が圧入される開口部に対向して所定の対向部材が配置されることがある。この場合、フレキシブル基板は、閉塞部材から延出した直後に屈曲されることになる。
【０００４】
ここで、フレキシブル基板が屈曲される場合、フレキシブル基板の保護のために、フレキシブル基板は、ある程度の大きさの曲率で曲げられる。その結果、フレキシブル基板の屈曲部周辺には、ある程度の大きさの空間が確保されることが必要となる。
【０００５】
また、フレキシブル基板が、上記の対向部材に当接して屈曲されている場合、対向部材は、フレキシブル基板の屈曲状態から直線状態に戻ろうとする復元力により付勢されることになる。その付勢力が大きいと、対向部材の脱落や変形等の不都合を生じるおそれがある。従って、復元力を減じるために、フレキシブル基板の曲率をある程度大きくすることが必要である。その結果、上記と同様に、フレキシブル基板の屈曲部周辺には、ある程度の大きさの空間が確保されることが必要となる。
【０００６】
従って、対向部材を開口部に隣接させることができず、ひいては、携帯電子機器の小型化若しくは筐体内の空間の有効利用ができない。
【０００７】
本発明の目的は、フレキシブル基板及び閉塞部材が挿通される開口部の周囲において小型化が可能な携帯電子機器及び当該携帯電子機器の製造に好適なグロメット成形用金型を提供することにある。
【課題を解決するための手段】
【０００８】
本発明の第１の観点の携帯電子機器は、開口部が形成された第１の筐体と、前記開口部に圧入されて前記開口部を閉塞する閉塞部材と、前記閉塞部材に挿通されることにより前記開口部に挿通されたフレキシブル基板と、を有し、前記フレキシブル基板は、前記閉塞部材の内部において前記閉塞部材の圧入方向に対して傾斜している。
【０００９】
好適には、携帯電子機器は、前記開口部の開口方向に配置された被当接部材を有し、前記フレキシブル基板は、前記閉塞部材から延出した後、前記被当接部材に当接しつつ前記圧入方向に対して更に傾斜する方向又は直交する方向へ屈曲している。
【００１０】
好適には、前記被当接部材は、前記開口部を前記第１の筐体の外部から被覆する被覆部材である。
【００１１】
好適には、前記フレキシブル基板は、前記閉塞部材内において、前記圧入方向に対して更に傾斜する方向又は直交する方向へ屈曲し、前記閉塞部材外へ延出する。
【００１２】
好適には、携帯電子機器は、前記開口部の開口方向に配置された被当接部材を有し、前記閉塞部材は、側面における、前記被当接部材側の部分が前記開口部から露出し、前記フレキシブル基板は、前記側面の前記開口部から露出する部分から延出し、前記閉塞部材の前記被当接部材側の面は、前記被当接部材に当接している。
【００１３】
好適には、携帯電子機器は、前記開口部を前記第１の筐体の外部から被覆する被覆部材を有し、前記被当接部材は、前記第１の筐体と前記被覆部材との間に配置され、前記被覆部材と前記第１の筐体とを接着する両面接着部材であり、前記閉塞部材の当該両面接着部材側の面にも接着されている。
【００１４】
好適には、携帯電子機器は、前記第１の筐体に対して相対移動可能に連結された第２の筐体と、前記第１の筐体内に配設された第１の電子部品と、前記第２の筐体内に配設された第２の電子部品と、を有し、前記フレキシブル基板は、前記閉塞部材を境とする一方側の部分が前記第１の電子部品に接続され、他方側の部分が前記第２の電子部品に接続されている。
【００１５】
好適には、前記フレキシブル基板は複数設けられ、当該複数のフレキシブル基板は、前記閉塞部材の内部において積層されている。
【００１６】
好適には、前記閉塞部材は、前記フレキシブル基板が挿通され、前記開口部に配置されるグロメットと、前記グロメットの前記開口部の内周面に対向する外周面に嵌められ、前記開口部の内周面に圧接される環状のパッキンと、を有し、前記グロメットの外周面には、前記フレキシブル基板の主面の一方側及び他方側にそれぞれ、前記パッキンが嵌め込まれる第１の溝部及び第２の溝部が形成され、前記第１の溝部及び前記第２の溝部は、前記フレキシブル基板の前記グロメットへの挿通方向において互いにずれた位置に配置されており、前記第１の溝部の前記パッキンを挟んで対向する２つの内壁のうち、前記挿通方向において前記第２の溝部側の内壁は、前記フレキシブル基板の前記グロメットに挿通された部分の主面に直交し、又は、直交する角度よりも前記第１の溝部の開口が拡幅する側へ傾斜し、前記第２の溝部の前記パッキンを挟んで対向する２つの内壁のうち、前記挿通方向において前記第１の溝部側の内壁は、前記フレキシブル基板の前記グロメットに挿通された部分の主面に直交し、又は、直交する角度よりも前記第２の溝部の開口が拡幅する側へ傾斜する。
【００１７】
好適には、前記第１の溝部の２つの内壁のうち、前記挿通方向において前記第２の溝部とは反対側の内壁は、前記フレキシブル基板の側方において前記第２の溝部側へ延長されており、前記第２の溝部の２つの内壁のうち、前記挿通方向において前記第１の溝部とは反対側の内壁は、前記フレキシブル基板の側方において前記第１の溝部側へ延長されており、これらの延長された部分は、前記フレキシブル基板の前記グロメットに挿通された部分の主面に直交する方向において、互いに重ならない。
【００１８】
好適には、前記第１の筐体は、第１ケース部材と、前記第１ケース部材の一方の面に対向して配置され、前記第１ケース部材との間に、密閉された第１空間と、前記一方の面に沿う方向において前記第１空間に隣接する第２空間とを構成する第２ケース部材と、前記第１ケース部材の他方の面に対向して配置され、前記第１ケース部材との間に、密閉された第３空間を構成する第３ケース部材とを有し、前記第１空間と前記第３空間とは連通されており、前記開口部は、前記第１ケース部材において形成され、前記第１ケース部材及び前記第２ケース部材の対向方向に開口し、前記第２空間と前記第３空間とを連通し、前記フレキシブル基板は、前記閉塞部材から延出した後、前記第１乃至第３ケース部材の互いに対向する面に沿う方向に延びるように屈曲している。
【００１９】
本発明の第２の観点の携帯電子機器は、開口部が形成された筐体と、前記開口部に圧入されて前記開口部を閉塞する閉塞部材と、前記閉塞部材に挿通されることにより前記開口部に挿通されたフレキシブル基板と、を有し、前記フレキシブル基板は、前記閉塞部材の圧入方向に対して傾斜又は直交した状態で前記閉塞部材の内部から外部へ延出する。
【００２０】
本発明の第３の観点のグロメット成形用金型は、フレキシブル基板が挿通され、外周面に形成された溝部に環状のパッキンが嵌め込まれるグロメットを形成するグロメット形成用金型であって、第１の分割金型と、前記第１の分割金型との間にキャビティを構成する第２の分割金型と、を有し、前記第１の分割金型及び前記第２の分割金型の分割面は平面状であり、前記キャビティは、前記分割面に沿って延び、前記分割面に平行に前記フレキシブル基板を収容可能な基板配置部と、前記基板配置部の延びる方向において前記基板配置部の一部を包含して形成され、前記グロメットを形成するグロメット形成部と、を有し、前記第１の分割金型の前記グロメット形成部を構成する面には、前記分割面側へ突出し、前記分割面の平面視において前記基板配置部の延びる方向に交差する方向に延び、前記溝部の一部を形成する第１の突条部が形成され、前記第２の分割金型の前記グロメット形成部を構成する面には、前記分割面側へ突出し、前記分割面の平面視において前記交差する方向に延び、前記溝部の他の一部を形成する第２の突条部が形成され、前記第１の突条部及び前記第２の突条部は、前記基板配置部の延びる方向において互いにずれた位置に設けられている。
【００２１】
好適には、前記第１の突条部の２つの外壁のうち、前記基板配置部の延びる方向において前記第２の突条部側の外壁は前記分割面に直交し、又は、直交する角度よりも前記突条部の根元が拡幅する側へ傾斜し、前記第２の突条部の２つの外壁のうち、前記基板配置部の延びる方向において前記第１の突条部側の外壁は前記分割面に直交し、又は、直交する角度よりも前記突条部の根元が拡幅する側へ傾斜する。
【００２２】
好適には、前記第１の突条部の２つの外壁のうち前記第２の突条部とは反対側の外壁は、前記基板配置部の側方において前記第２の突条部側へ延長されており、前記第２の突条部の２つの外壁のうち前記第１の突条部とは反対側の外壁は、前記基板配置部の側方において前記第１の突条部側へ延長されており、これらの延長された部分は、前記分割面に直交する方向において、互いに重ならない。
【発明の効果】
【００２３】
本発明によれば、フレキシブル基板及び閉塞部材が挿通される開口部の周囲において小型化が可能である。
【発明を実施するための最良の形態】
【００２４】
図１は、本発明の実施形態に係る携帯電話機１の外観を開状態で示す斜視図である。図２は、携帯電話機１の外観を閉状態で示す斜視図である。携帯電話機１は、いわゆる折り畳み式の携帯電話機として構成されており、開状態と閉状態との間で回転軸ＲＡ回りに互いに回動可能に連結された操作側筐体３及び表示側筐体５を備えている。
【００２５】
操作側筐体３及び表示側筐体５は、それぞれの端部が回動の中心となる連結部６により連結されることにより携帯電話機１全体の筐体を構成するようになっている。操作側筐体３及び表示側筐体５は、それぞれ概ね薄型直方体状に形成されており、閉状態では互いに重ねあわされて互いの輪郭が略一致する。
【００２６】
なお、以下では、操作側筐体３及び表示側筐体５の閉状態において互いに対向する面及びその背面を対向面及び背面ということがある。また、操作側筐体３及び表示側筐体５において、対向面及び背面を貫通する方向を筐体の厚さ方向ということがある。
【００２７】
操作側筐体３には、例えば、通話用のマイクロフォン８７（図１３参照）、通信のための内蔵アンテナ８１（図１３参照）、報知用のスピーカ８５（図１３参照）、撮像部８９（図１３参照）、ユーザの操作を受け付ける操作部７（図１）が設けられている。
【００２８】
表示側筐体５には、例えば、通話用のスピーカ８３（図１３参照）、表示側筐体５の対向面に画像や文字を表示する表示部９（図１）が設けられている。
【００２９】
表示側筐体５は、表示側筐体５の対向面側に配置されるフロントケース１１と、表示側筐体５の背面側に配置されるリアケース１３（図２）とを有している。フロントケース１１とリアケース１３とは、互いに対向した状態でネジなどにより互いに固定される。フロントケース１１とリアケース１３との間には、種々の電子部品が収納される。
【００３０】
図３は、表示側筐体５からリアケース１３を取り外して表示側筐体５の内部を背面側から示す斜視図である。また、図４は、図３の状態からフレキシブルプリント基板（ＦＰＣ）１７を取り外して示す分解斜視図である。
【００３１】
表示側筐体５内部には、表示側回路基板１５と、表示側回路基板１５に接続されたＦＰＣ１７とが設けられている。
【００３２】
表示側回路基板１５は、例えば、硬質の樹脂をベースとしたリジッド式のプリント基板により構成されている。表示側回路基板１５には、ＩＣ等の電子部品が実装されて、電子回路が構成されている。表示側回路基板１５は、表示側筐体５の正面及び背面に平行に配置されている。
【００３３】
ＦＰＣ１７は、操作側筐体３の電子回路（電子部品）と、表示側筐体５の電子回路（電子部品）とを接続するためのものである。ＦＰＣ１７は、連結部６に挿通されることにより、第１接続部１９（図４）が操作側筐体３内に、第２接続部２１が表示側筐体５内に配置される。第１接続部１９は、操作側筐体３内の操作側回路基板２３（図４において一部のみ示す）に接続される。なお、操作側回路基板２３は、例えば、操作側筐体３の対向面及び背面に平行に配置されている。また、第２接続部２１は、表示側回路基板１５に接続される。ＦＰＣ１７の連結部６に挿通された部分は、携帯電話機１の開閉に伴って屈曲又は伸長する。
【００３４】
ＦＰＣ１７は、連結部６に挿通される際に、操作側筐体３に形成された不図示の第１開口部及び表示側筐体５に形成された第２開口部２５に挿通される。第１開口部は、ＦＰＣ１７が挿通された第１閉塞部材２７（図４）が圧入されることにより閉塞される。第２開口部２５は、ＦＰＣ１７が挿通された第２閉塞部材２９が圧入されることにより閉塞される。
【００３５】
図５は、図３のＶ−Ｖ線における断面図である。図５の紙面上方側が、表示部９側である。
【００３６】
表示側筐体５には、表示側回路基板１５等の種々の電子部品を収容する収容空間Ｓ１と、収容空間Ｓ１の連結部６側に形成される連通空間Ｓ２と、収容空間Ｓ１の対向面側に形成される凹部Ｓ３とが形成されている。
【００３７】
収容空間Ｓ１は、フロントケース１１とリアケース１３との間に形成されている。収容空間Ｓ１は密閉されている。具体的には、フロントケース１１には、リアケース１３側に突出し、外周に沿って延びるリブ１１ｒ（図３も参照）が形成されている。リアケース１３には、リブ１１ｒと同一形状に延びる溝部１３ｇが形成されている。溝部１３ｇには、リブ１１ｒ及び溝部１３ｇと同一形状で延びる環状のパッキン３７が配置される。そして、リブ１１ｒが溝部１３ｇ内に配置されたパッキン３７を押し潰すことにより、フロントケース１１とリアケース１３との間の空間は密閉される。
【００３８】
連通空間Ｓ２は、フロントケース１１とリアケース１３との間に形成されている。連通空間Ｓ２は、フロントケース１１及びリアケース１３の互いに対向する面に沿う方向において収容空間Ｓ１に隣接している。連通空間Ｓ２においては、フロントケース１１とリアケース１３との合せ目にパッキン等は配置されていない。すなわち、連通空間Ｓ２は、密閉されていない。
【００３９】
凹部Ｓ３は、フロントケース１１の正面側に形成されている。凹部Ｓ３には、表示部９を構成する表示装置３１が収容されている。表示装置３１は、例えば、液晶表示装置や有機ＥＬ表示装置により構成されている。凹部Ｓ３は、透光板３３が接着剤や両面テープ等の両面テープ３５を介してフロントケース１１に固定されることにより、密閉されている。なお、透光板３３は、表示側筐体５の一部として捉えられてもよいし、表示側筐体５とは別個の部材として捉えられてもよい。
【００４０】
凹部Ｓ３と収容空間Ｓ１とは第３開口部３９により連通されている。具体的には、第３開口部３９は、フロントケース１１に形成され、また、フロントケース１１及びリアケース１３の対向方向（筐体の厚さ方向）に開口している。また、第３開口部３９は、パッキン３７に囲まれる領域（収容空間Ｓ１）の内側に配置されている（図３も参照）。
【００４１】
第２開口部２５は、連通空間Ｓ２と凹部Ｓ３とを連通している。具体的には、第２開口部２５は、フロントケース１１に形成され、また、フロントケース１１及びリアケース１３の対向方向（筐体の厚さ方向）に開口している。また、第２開口部２５は、パッキン３７に囲まれる領域（収容空間Ｓ１）の外側に配置されている（図３も参照）。
【００４２】
以上のように、第３開口部３９を介して連通された凹部Ｓ３及び収容空間Ｓ１により密閉空間が形成されており、当該密閉空間と連通空間Ｓ２とを連通する第２開口部２５は、第２閉塞部材２９によって閉塞される。
【００４３】
ＦＰＣ１７は、操作側筐体３から連結部６を介して表示側筐体５側へ延出すると、連通空間Ｓ２、第２開口部２５、凹部Ｓ３及び第３開口部３９を順に経由して、収容空間Ｓ１に到達する。そして、ＦＰＣ１７の第２接続部２１は、収容空間Ｓ１に収容された表示側回路基板１５に接続されている。
【００４４】
ＦＰＣ１７は、第２開口部２５の開口方向に対して斜めに第２開口部２５（第２閉塞部材２９）を貫通している。ＦＰＣ１７の第２閉塞部材２９から凹部Ｓ３側へ延出した部分は、透光板３３に近接又は当接しつつ、透光板３３に沿う方向（第２閉塞部材２９の圧入方向に直交する方向）に屈曲して延びている。さらに、そのＦＰＣ１７の延出部分は、第３開口部３９を貫通した後、リアケース１３のフロントケース１１に対向する面に沿って延びている。ＦＰＣ１７の第２閉塞部材２９から連通空間Ｓ２側に延出した部分は、リアケース１３のフロントケース１１に対向する面に近接又は当接しつつ、当該面に沿う方向（第２閉塞部材２９の圧入方向に直交する方向）へ屈曲して延びている。
【００４５】
第２閉塞部材２９は、第２グロメット４５と、第２グロメット４５の外周面（第２開口部２５の内周面に対向する面）に嵌められる第２パッキン４７とを有している。
【００４６】
第２グロメット４５は、例えば、樹脂により形成されている。第２グロメット４５は、概ね、扁平な柱状に形成されており、外周面には、第２パッキン４７が嵌合する溝部４９が形成されている。第２パッキン４７は、例えば、ゴムにより形成されたＯリングにより構成されている。第２パッキン４７が弾性変形することにより、第２閉塞部材２９は、第２開口部２５に圧入される。
【００４７】
第２閉塞部材２９は、第２開口部２５に対して第２開口部２５の開口方向（貫通方向）に圧入される。一方、ＦＰＣ１７は、第２グロメット４５の圧入方向に対して斜めに第２グロメット４５に挿通されている。従って、上述のように、ＦＰＣ１７は、第２開口部２５の開口方向に対して斜めに第２開口部２５に挿通されている。
【００４８】
第１閉塞部材２７も第２閉塞部材２９の構成と同様であり、第１グロメット４４（図６）と第１グロメット４４に嵌められる不図示の第１パッキンとを有している。ただし、ＦＰＣ１７は、第１閉塞部材２７の圧入方向に対して平行に第１閉塞部材２７に挿通されている（図６参照）。
【００４９】
図６は、ＦＰＣ１７を展開して示す斜視図である。
【００５０】
ＦＰＣ１７は、帯状に長く形成されており、一端に第１接続部１９が、他端に第２接続部２１が設けられている。また、第１グロメット４４はＦＰＣ１７の第１接続部１９側の部分に設けられている。第２グロメット４５はＦＰＣ１７の第２接続部２１側の部分に設けられている。
【００５１】
第１接続部１９には、操作側回路基板２３に接続される第１コネクタ４１が設けられている。第２接続部２１には、表示側回路基板１５に接続される第２コネクタ４３が設けられている。第１コネクタ４１及び第２コネクタ４３は、ＦＰＣ１７において同一の主面に実装されている。図４に示すように、第１コネクタ４１は、第１接続部１９を操作側回路基板２３に対向させた状態で操作側回路基板２３に接続される。図３に示すように、第２コネクタ４３は、第２接続部２１を表示側回路基板１５に対向させた状態で表示側回路基板１５に接続される。
【００５２】
図７は、図６の領域ＶＩＩにおける拡大図、換言すれば、第２グロメット４５周辺の斜視図である。また、図８は、第２グロメット４５周辺の側面図である。
【００５３】
第２グロメット４５は、例えば、第２開口部２５の圧入方向に見て、概ね角部が面取りされた矩形状（若しくは長円形）に形成されている。なお、第２開口部２５の平面形状も第２グロメット４５と同様である。
【００５４】
第２パッキン４７を嵌め込むための溝部４９は、第２グロメット４５の外周側に突出し、互いに対向する第１フランジ５１と第２フランジ５３とにより構成されている。第１フランジ５１及び第２フランジ５３の対向方向、換言すれば、溝部４９の環の軸方向は、第２グロメット４５の圧入方向に対して平行であり、ＦＰＣ１７に対して傾斜している。
【００５５】
図９は、第１グロメット４４及び第２グロメット４５の形成方法を説明する斜視図である。
【００５６】
第１グロメット４４及び第２グロメット４５は、金型１５１内にＦＰＣ１７が配置された状態において、金型１５１内に溶融状態の樹脂が充填されることにより形成される。なお、図９では、一の金型により、２組の第１グロメット４４及び第２グロメット４５が形成される場合における金型を例示している。また、図９では、２組のＦＰＣ１７等のうち１組の図示を省略している。
【００５７】
金型１５１は、第１分割金型１５３（図１１参照）と、第２分割金型１５５とを有している。第１グロメット４４及び第２グロメット４５を形成するキャビティ１５７は、第１分割金型１５３と第２分割金型１５５との間に形成される。金型１５１を第１分割金型１５３及び第２分割金型１５５に分割する分割面１５１ａは、平面状に設定されている。
【００５８】
キャビティ１５７は、ＦＰＣ１７を配置するための基板配置部１５９と、第１グロメット４４を形成するための第１グロメット形成部１６１と、第２グロメット４５を形成するための第２グロメット形成部１６３とを有している。
【００５９】
図１０は、図９の領域Ｘの拡大図、換言すれば、第２グロメットの周辺を示す斜視図である。
【００６０】
図９及び図１０に示すように、ＦＰＣ１７は、基板配置部１５９において、分割面１５１ａに平行に平面状に配置されている。従って、上述のように、ＦＰＣ１７を第２グロメット４５の圧入方向に対して斜めに挿通させるためには、図１０に示すように、第２グロメット４５は、分割面１５１ａに対して圧入方向が傾斜するように形成される。
【００６１】
図１１は、図１０のＸＩ−ＸＩ線における断面図、換言すれば、金型１５１の図８に対応する断面図である。
【００６２】
基板配置部１５９は、第１分割金型１５３の分割面１５１ａに形成された凹部及び第２分割金型１５５の分割面１５１ａに形成された凹部により構成されている。なお、基板配置部は、第１分割金型及び第２分割金型の一方に形成された凹部により形成されてもよい。
【００６３】
第２グロメット形成部１６３は、第１分割金型１５３の凹部及び第２分割金型１５５の凹部により構成されている。第２グロメット形成部１６３は、ＦＰＣ１７が第２グロメット４５に挿通されるように、基板配置部１５９の延びる方向において基板配置部１５９の一部を包含して（拡径して）構成されている。
【００６４】
上述のように、第２グロメット４５の溝部４９は、その環の軸方向がＦＰＣ１７の主面に対して傾斜している。また、基板配置部１５９は、ＦＰＣ１７の主面を分割面１５１ａに平行に配置可能に構成されている。従って、溝部４９の環の軸方向は、分割面１５１ａに対して傾斜している。換言すれば、溝部４９の凹み方向は、成形品の金型からの押出方向に対して傾斜する。従って、第２グロメット４５を、溝部４９の軸方向がＦＰＣ１７の主面に平行なグロメットと同様の形状としてしまうと、溝部４９において、成形品が金型に引っ掛かるアンダーカット部が形成されてしまう。そこで、本実施形態では、第２グロメット４５の形状をアンダーカット部が形成されない形状としている。具体的には、以下のとおりである。
【００６５】
図８に示すように、溝部４９は、ＦＰＣ１７の主面の一方側及び他方側にそれぞれ、第１分割溝部４９ａ及び第２分割溝部４９ｂを有している。第１分割溝部４９ａ及び第２分割溝部４９ｂは、ＦＰＣ１７の第２グロメット４５への挿通方向において互いにずれた位置に配置されている。
【００６６】
第１分割溝部４９ａは、ＦＰＣ１７の第２グロメット４５への挿通方向において第２グロメット４５の中央側（第２分割溝部４９ｂ側）となる第１内側内壁５１ａと、その反対側となる第１外側内壁５３ａとにより構成されている。仮に、第１内側内壁５１ａが第１外側内壁５３ａと同様に、第２グロメット４５の圧入方向に対して直交していると、第１分割金型１５３（図１１）が引っ掛かるアンダーカット部が形成されてしまう。そこで、第１内側内壁５１ａは、ＦＰＣ１７の第２グロメット４５に挿通された部分の主面に直交するように形成されている。
【００６７】
同様に、第２分割溝部４９ｂは、ＦＰＣ１７の第２グロメット４５への挿通方向において第２グロメット４５の中央側（第１分割溝部４９ａ側）となる第２内側内壁５３ｂと、その反対側となる第２外側内壁５１ｂとにより構成されている。そして、第２内側内壁５３ｂは、第１内側内壁５１ａと同様に、アンダーカット部が形成されないように、ＦＰＣ１７の第２グロメット４５に挿通された部分の主面に直交するように形成されている。
【００６８】
なお、第１内側内壁５１ａ及び第２内側内壁５３ｂは、ＦＰＣ１７の第２グロメット４５に挿通された部分の主面に直交する角度から更に、溝部４９の開口が拡幅する側へ傾斜されることも可能である。ただし、この場合、第２パッキン４７が溝部４９から外れやすくなることから、上述のように、ＦＰＣ１７の第２グロメット４５に挿通された部分の主面に直交する角度が好ましい。
【００６９】
また、第１外側内壁５３ａ及び第２外側内壁５１ｂの角度は、アンダーカット部が形成されない範囲で適宜に設定されてよい。図８では、第１外側内壁５３ａ及び第２外側内壁５１ｂが、第２グロメット４５の圧入方向に直角に形成された場合を例示している。
【００７０】
上記のような第１内側内壁５１ａ及び第２内側内壁５３ｂに対応して、金型１５１は、以下のように形成されている。
【００７１】
図１１に示すように、第１分割金型１５３の第２グロメット形成部１６３を構成する面には、第１分割溝部４９ａ（図８）を形成する第１突条部１６５が形成されている。第１突条部１６５は、分割面１５１ａ側へ突出し、分割面１５１ａの平面視において基板配置部１５９の延びる方向に交差する方向（より詳細には直交する方向）に延びている。
【００７２】
同様に、第２分割金型１５５の第２グロメット形成部１６３を構成する面には、第２分割溝部４９ｂ（図８）を形成する第２突条部１６７が形成されている。第２突条部１６７は、分割面１５１ａ側へ突出し、分割面１５１ａの平面視において基板配置部１５９の延びる方向に交差する方向（より詳細には直交する方向）に延びている。
【００７３】
第１突条部１６５及び第２突条部１６７は、基板配置部１５９の延びる方向において互いにずれた位置に配置されている。これは、第１分割溝部４９ａ及び第２分割溝部４９ｂが、ＦＰＣ１７の第２グロメット４５への挿通方向において互いにずれた位置に配置されることに対応している。
【００７４】
第１突条部１６５は、基板配置部１５９の延びる方向において第２グロメット形成部１６３の中央側（第２突条部１６７側）となる第１内側外壁１６５ａと、その反対側の第１外側外壁１６５ｂとを有している。第１内側外壁１６５ａは、第１分割溝部４９ａの第１内側内壁５１ａに対応し、第１外側外壁１６５ｂは、第１分割溝部４９ａの第１外側内壁５３ａに対応している。
【００７５】
そして、第１内側外壁１６５ａは、基板配置部１５９の延びる方向において分割面１５１ａに直交している。これは、第１内側内壁５１ａがＦＰＣ１７の第２グロメット４５に挿通された部分の主面に対して直交していたことに対応する。
【００７６】
同様に、第２突条部１６７は、基板配置部１５９の延びる方向において第２グロメット形成部１６３の中央側（第１突条部１６５側）となる第２内側外壁１６７ａと、その反対側の第２外側外壁１６７ｂとを有している。第２内側外壁１６７ａは、第２分割溝部４９ｂの第２内側内壁５３ｂに対応し、第２外側外壁１６７ｂは、第２分割溝部４９ｂの第２外側内壁５１ｂに対応している。
【００７７】
そして、第２内側外壁１６７ａは、基板配置部１５９の延びる方向において分割面１５１ａに直交している。これは、第２内側内壁５３ｂがＦＰＣ１７の第２グロメット４５に挿通された部分の主面に対して直交していたことに対応する。
【００７８】
なお、第１内側外壁１６５ａは、分割面１５１ａに直交する角度から、第１突条部１６５の根元が拡幅する側へ更に傾斜していてもよい。同様に、第２内側外壁１６７ａは、分割面１５１ａに直交する角度から、第２突条部１６７の根元が拡幅する側へ更に傾斜していてもよい。
【００７９】
また、第１外側外壁１６５ｂ及び第２外側外壁１６７ｂの角度は、アンダーカット部が形成されない範囲で適宜に設定されてよい。図１１では、第１外側外壁１６５ｂ及び第２外側外壁１６７ｂが、第２グロメット４５の圧入方向に直角に形成された場合を例示している。
【００８０】
さらに、第２グロメット４５は、ＦＰＣ１７の側方においてもアンダーカット部が形成されないように形成されている。具体的には、以下のとおりである。
【００８１】
図７に示すように、第１フランジ５１は、第１分割溝部４９ａ側であってＦＰＣ１７の側方となる部分が切り欠かれて切り欠き部５１ｃが形成されている。換言すれば、図８に示すように、第２分割溝部４９ｂの第２外側内壁５１ｂは、ＦＰＣ１７の側方において第１分割溝部４９ａ側へ延長されているが、第１分割溝部４９ａには到達しない。
【００８２】
同様に、図７及び図８に示すように、第２フランジ５３は、第２分割溝部４９ｂ側であってＦＰＣ１７の側方となる部分が切り欠かれて切り欠き部５３ｃが形成されている。換言すれば、図８に示すように、第１分割溝部４９ａの第１外側内壁５３ａは、ＦＰＣ１７の側方において第２分割溝部４９ｂ側へ延長されているが、第２分割溝部４９ｂには到達しない。
【００８３】
そして、第２外側内壁５１ｂの、第１分割溝部４９ａ側へ延長された部分と、第１外側内壁５３ａの第２分割溝部４９ｂ側へ延長された部分とは、ＦＰＣ１７の第２グロメット４５に挿通された部分の主面に直交する方向において互いに重ならない。
【００８４】
このような形状にすることにより、以下のように、アンダーカット部が生じない金型を構成することができる。
【００８５】
図１２は、図１０のＸＩＩ−ＸＩＩ線における金型１５１の断面図である。すなわち、金型１５１のうち、第１フランジ５１及び第２フランジ５３の、ＦＰＣ１７の側方部分に対応する部分の断面図である。
【００８６】
図１１と図１２との対比から理解されるように、第１突条部１６５の第１外側外壁１６５ｂは、基板配置部１５９の側方において第２突条部１６７側へ延長されている。これは、図８において、第１分割溝部４９ａの第１外側内壁５３ａがＦＰＣ１７の側方において第２分割溝部４９ｂ側へ延長されたことに対応している。
【００８７】
また、同様に、第２突条部１６７の第２外側外壁１６７ｂは、基板配置部１５９の側方において第１突条部１６５側へ延長されている。これは、図８において、第２分割溝部４９ｂの第２外側内壁５１ｂがＦＰＣ１７の側方において第１分割溝部４９ａ側へ延長されたことに対応している。
【００８８】
そして、第１外側外壁１６５ｂの、第２突条部１６７側へ延長された部分と、第２外側外壁１６７ｂの第１突条部１６５側へ延長された部分とは、分割面１５１ａ（図１１）に直交する方向において互いに重ならない。
【００８９】
従って、第１分割金型１５３において、第１外側外壁１６５ｂの分割面１５１ａとは反対側には、成形材料が充填される空間が形成されていない。また、第２分割金型１５５において、第２外側外壁１６７ｂの分割面１５１ａとは反対側には、成形材料が充填される空間が形成されていない。すなわち、第１分割金型１５３及び第２分割金型１５５は、アンダーカット部が形成されていない。
【００９０】
図１３は、携帯電話機１の信号処理系の構成の一例を示すブロック図である。
【００９１】
携帯電話機１は、ＣＰＵ７１、メモリ７３、通信処理部７５、音響処理部７７及び画像処理部７９を有している。これら各部は、操作側筐体３及び表示側筐体５内に設けられたＩＣ等により構成されている。そして、操作側筐体３内に配置された電子部品と、表示側筐体５内に配置された電子部品とは、ＦＰＣ１７を介して互いに接続されている。
【００９２】
ＣＰＵ７１及びメモリ７３は、操作部７等の各種手段からの信号に基づいて所定の演算を行い、画像処理部７９等の各種手段の制御を実行する制御部として機能する。
【００９３】
通信処理部７５は、電波を利用した無線通信により、通信システム（電話網やインターネット）を介した他の携帯端末装置やサーバとの通信を行う。具体的には、通信処理部７５は、ＣＰＵ７１で処理された音響データ、画像データ等の各種データを変調して、変調された信号をアンテナ８１を介して送信する。また、通信処理部７５は、アンテナ８１を介して受信した信号を復調し、復調したデータをＣＰＵ７１に出力する。
【００９４】
音響処理部７７は、ＣＰＵ７１からの音響データを電気信号に変換して、その信号を、通話用のスピーカ８３、又は、報知音等を出力するスピーカ８５に出力する。スピーカ８３及びスピーカ８５は、音響処理部７７からの電気信号を音響に変換し、その音響を出力する。一方、マイクロフォン８７は、入力された音響を電気信号に変換し、その信号を音響処理部７７に出力する。音響処理部７７は、マイクロフォン８７からの電気信号を音響データに変換し、その音響データをＣＰＵ７１に出力する。
【００９５】
画像処理部７９は、ＣＰＵ７１からの画像データを画像信号に変換し、その信号を表示部９へ出力する。また、画像処理部７９は、撮像部８９から出力される撮像信号（画像データ）を所定のフォーマットの画像データに変換し、その画像データをＣＰＵ７１へ出力する。
【００９６】
以上の実施形態によれば、携帯電話機１は、第２開口部２５が形成された表示側筐体５と、第２開口部２５に圧入されて第２開口部２５を閉塞する第２閉塞部材２９と、第２閉塞部材２９に挿通されることにより第２開口部２５に挿通されたＦＰＣ１７と、を有する。そして、ＦＰＣ１７は、第２閉塞部材２９の内部において第２閉塞部材２９の圧入方向に対して傾斜している。
【００９７】
従って、ＦＰＣ１７は、第２閉塞部材２９の圧入方向に対して傾斜した状態で第２閉塞部材２９から延出されやすい。その結果、例えば、ＦＰＣ１７を屈曲させなくても、第２閉塞部材２９の圧入方向とは異なる方向へＦＰＣ１７を延出させることができる。また、例えば、ＦＰＣ１７の第２閉塞部材２９から延出した部分を圧入方向に対して傾斜した方向や直交する方向へ屈曲させる場合において、屈曲部の屈曲角度は、ＦＰＣ１７が第２閉塞部材２９から圧入方向に平行に延出する場合に比較して小さくなる。そして、屈曲部の周辺において必要な空間が縮小される。屈曲部が不要となり、若しくは、屈曲部の周辺において必要な空間が縮小されることにより、筐体内側面又は他の部材を第２閉塞部材２９に近接させることができ、携帯電話機１の小型化が図られる。
【００９８】
携帯電話機１は、第２開口部２５の開口方向に配置された透光板３３（又はリアケース１３）を有する。ＦＰＣ１７は、第２閉塞部材２９から延出した後、透光板３３に当接しつつ圧入方向に対して直交する方向へ屈曲している。従って、所定の被当接部材を第２開口部２５に近接させて、表示側筐体５の小型化若しくは表示側筐体５の内部空間の有効活用が図られる。
【００９９】
上記の被当接部材は、第２開口部２５を表示側筐体５の外部から被覆する透光板３３である。透光板３３は、ＦＰＣ１７の屈曲状態から直線状態に戻ろうとする復元力を受けるが、ＦＰＣ１７の屈曲角度が小さくなることにより、この復元力は小さくなる。従って、透光板３３のフロントケース１１からの剥がれを抑制しつつ、表示側筐体５の小型化を図ることができる。
【０１００】
なお、凹部Ｓ３を構成するフロントケース１１及び透光板３３を筐体と捉え、リアケース１３を当該筐体の外部から第２開口部２５を被覆する被覆部材であると捉えることもできる。この場合、第２開口部２５は、近接配置されたリアケース１３によって被覆されるから、凹部Ｓ３内に水分等が侵入することが抑制される。
【０１０１】
携帯電話機１は、表示側筐体５に対して相対移動可能に連結された操作側筐体３と、表示側筐体５に配設された表示側回路基板１５と、操作側筐体３内に配設された操作側回路基板２３とを有する。ＦＰＣ１７は、第２閉塞部材２９を境とする一方側の部分が表示側回路基板１５に接続され、他方側の部分が操作側回路基板２３に接続されている。従って、表示側筐体５は、第２開口部２５を介して操作側筐体３と連通されつつ、操作側筐体３とは独立に防水される。また、ＦＰＣ１７は、第２閉塞部材２９の延出部分において大きな屈曲角度で曲げられていると、筐体の開閉に伴う屈曲によって更に変形を受けるから、ＦＰＣ１７の負担が大きくなる。しかし、本実施形態では、屈曲部を伴わずに、又は、屈曲角度を小さくしつつＦＰＣ１７を第２閉塞部材２９から延出させることができるから、ＦＰＣ１７の負担を小さくしつつ、連結部６周辺を小型化することができる。
【０１０２】
表示側筐体５は、フロントケース１１と、フロントケース１１の内面（一方側の面）に対向して配置されるリアケース１３とを有する。リアケース１３は、フロントケース１１との間に、密閉された収容空間Ｓ１と、フロントケース１１の内面に沿う方向において収容空間Ｓ１に隣接する連通空間Ｓ２とを構成する。また、表示側筐体５は、フロントケース１１の外面（他方側の面）に対向して配置され、フロントケース１１との間に、密閉された凹部Ｓ３を構成する透光板３３を有する。収容空間Ｓ１と凹部Ｓ３とは連通されている。第２開口部は、フロントケース１１において形成され、フロントケース１１及びリアケース１３の対向方向に開口し、収容空間Ｓ１と連通空間Ｓ２とを連通する。ＦＰＣ１７は、第２閉塞部材２９から延出した後、フロントケース１１、リアケース１３乃至透光板１３の互いに対向する面に沿う方向に延びるように屈曲している。
【０１０３】
従って、第２閉塞部材２９をフロントケース１１及びリアケース１３の対向方向に圧入する構成が実現され、表示側筐体５の薄型化が図られる。また、実施形態のように凹部Ｓ３と収容空間Ｓ１とを連通する第３開口部３９を介してＦＰＣ１７を収容空間Ｓ１に延出させることが可能である。従って、フロントケース１１の一方側及び他方側のいずれにＦＰＣ１７を配置してもよく、設計の自由度が高い。その結果、例えば、本実施形態のように、ＦＰＣ１７の片面のみに第１コネクタ４１及び第２コネクタ４３を実装することも容易化される。
【０１０４】
なお、以上の実施形態において、携帯電話機１は本発明の携帯電子機器の一例であり、第２開口部２５は本発明の開口部の一例であり、表示側筐体５は本発明の第１の筐体の一例であり、ＦＰＣ１７は本発明のフレキシブル基板の一例であり、透光板３３又はリアケース１３は本発明の被当接部材及び被覆部材の一例であり、両面テープ３５は本発明の両面接着部材の一例であり、操作側筐体３は本発明の第２の筐体の一例であり、表示側回路基板１５は本発明の第１の電子部品の一例であり、操作側回路基板２３は本発明の第２の電子部品の一例であり、第２グロメット４５は本発明のグロメットの一例であり、第２パッキン４７は本発明のパッキンの一例であり、第１分割溝部４９ａ及び第２分割溝部４９ｂは本発明の第１の溝部及び第２の溝部の一例であり、フロントケース１１は本発明の第１ケース部材の一例であり、リアケース１３は本発明の第２ケース部材の一例であり、透光板３３は本発明の第３ケース部材の一例であり、収容空間Ｓ１は本発明の第１空間の一例であり、連通空間Ｓ２は本発明の第２空間の一例であり、凹部Ｓ３は本発明の第３空間の一例である。
【０１０５】
本発明は、以上の実施形態に限定されず、種々の態様で実施されてよい。
【０１０６】
携帯電子機器は、携帯電話機に限定されない。例えば、携帯電子機器は、ノートパソコン、ＰＤＡ、ゲーム機、カメラであってもよい。また、携帯電子機器の筐体は、折り畳み式のものに限定されない。
【０１０７】
筐体は、一体的に構成されたもの（１つのみの筐体）であってもよいし、２以上の筐体が折り畳み式以外の方式（スライド式等）により相対移動可能に連結されたものであってもよい。また、筐体は、電子機器の外観を構成する筐体に限定されず、筐体内に包含される筐体であってもよい。例えば、筐体は、外観を構成する筐体と、その内部に包含される防水性の高い筐体とを有する携帯電子機器における、内部に包含された筐体であってもよい。開口部は、筐体の内外を連通するものであってもよいし、筐体内の２つの空間を連通するものであってもよい。
【０１０８】
図１４（ａ）は、本発明の第１の変形例に係る第２閉塞部材２２９を示す模式的な断面図である。
【０１０９】
第２閉塞部材２２９の第２グロメット２４５は、圧入における側面の透光板３３側部分及びリアケース１３側部分が第２開口部２５から露出している。そして、ＦＰＣ２１７は、第２グロメット２４５内において屈曲し、第２グロメット２４５の側面の第２開口部２５から露出する部分から延出している。フロントケース１１と透光板３３とを接着する両面テープ２３５は、透光板３３と第２グロメット２４５との間において、第２グロメット２４５の透光板３３側の面にも接着されている。
【０１１０】
この変形例によれば、ＦＰＣ１７は、第２閉塞部材２２９内において、圧入方向に対して直交する方向へ屈曲し、第２閉塞部材２２９外へ延出している。従って、ＦＰＣ１７の屈曲状態から直線状態に戻ろうとする復元力は、第２閉塞部材２２９外へは伝達されない。その結果、ＦＰＣ１７の復元力による透光板３３の脱落等の不都合が解消される。
【０１１１】
また、ＦＰＣ１７は、第２閉塞部材２２９の側面の第２開口部２５から露出する部分から延出する。従って、第２閉塞部材２２９の端面には、透光板３３を間接的に当接させたり、リアケース１３を当接させることができる。その結果、第２閉塞部材２２９の固定を確実に行うことができる。さらには、両面テープ２３５を第２閉塞部材２２９の透光板３３側の面に接着し、透光板３３の固定を確実に行うこともできる。
【０１１２】
以上の変形例で示したように、フレキシブル基板は、閉塞部材内で屈曲してもよいし、閉塞部材の側面から延出してもよいし、閉塞部材の圧入方向に対して直交する状態で閉塞部材から延出してもよい。
【０１１３】
本発明は、フレキシブル基板が、閉塞部材の圧入方向に対して傾斜又は直交した状態で閉塞部材の内部から外部へ延出するという第２の観点から捉えられることができる。なお、この観点においては、フレキシブル基板は、閉塞部材の内部において傾斜していてもよいし、傾斜していなくてもよい。
【０１１４】
図１４（ｂ）は、本発明の第２の変形例の第２閉塞部材３２９を示す模式的な断面図である。第２の変形例は、第２の観点に係るものである。
【０１１５】
第２閉塞部材３２９では、ＦＰＣ３１７は、第２グロメット３４５内において、大部分が圧入方向に対して平行である。しかし、ＦＰＣ３１７は、第２グロメット３４５から延出する直前に屈曲することにより、圧入方向に対して傾斜した状態で、第２グロメット３４５から延出している。この第２の変形例においても、ＦＰＣ３１７の第２グロメット３４５から延出した後の屈曲角度を小さくすることができる。
【０１１６】
図１４（ｃ）は、本発明の第３の変形例の第２閉塞部材４２９を示す模式的な断面図である。第３の変形例は、第２の観点に係るものである。
【０１１７】
第２閉塞部材４２９では、ＦＰＣ４１７は、一端は、圧入方向に対して直交する状態で第２グロメット４４５から延出するものの、他端は、圧入方向に対して平行な状態で第２グロメット４４５から延出している。ＦＰＣ４１７を開口部の一方側においてのみ屈曲させる必要がある場合には、このような態様も有効である。
【０１１８】
図１４（ｄ）は、本発明の第４の変形例を示す模式的な断面図である。
【０１１９】
この変形例では、第２グロメット４５には、複数（図１４（ｄ）では２枚を例示）の積層されたＦＰＣ５１７Ａ及び５１７Ｂ（以下、Ａ及びＢを省略することがある。）が挿通されている。このように複数枚のＦＰＣ５１７が積層されている場合、第２開口部２５を第２閉塞部材２９によって閉塞しても、ＦＰＣ５１７間の隙間から水分が第２開口部２５を通過してしまうおそれがある。
【０１２０】
しかし、ＦＰＣ５１７は、圧入方向に対して傾斜して第２グロメット４５に挿通されていることから、圧入方向にた対して平行に第２グロメット４５に挿通された場合に比較して、第２グロメット４５内の沿面距離が長い。従って、水分がＦＰＣ５１７間の隙間を介して第２開口部２５を通過することが抑制され、防水機能が向上する。
【０１２１】
グロメットを形成する金型は、グロメットの形状に応じて適宜に構成されよい。また、実施形態と同様のグロメットを構成する場合においても、当該グロメットを形成する金型は、実施形態の金型に限定されない。
【０１２２】
図１５（ａ）は、図１４（ａ）に示した第１の変形例の第２グロメット２４５を形成する金型の一例を示す模式的な断面図である。
【０１２３】
金型２５１は、第１分割金型２５２、第２分割金型２５３、第３分割金型２５４及び第４分割金型２５５を有している。ＦＰＣ２１７は、これらの金型の分割面に沿って金型間に配置されている。また、これらの金型は、矢印ｙ１〜ｙ４で示される４方向に相対移動される。従って、ＦＰＣ２１７を屈曲した状態で金型間に保持することができる。
【０１２４】
図１５（ｂ）は、実施形態の第２グロメット４５を形成する他の金型を示す模式的な断面図である。
【０１２５】
金型３５１では、第１分割金型３５３及び第２分割金型３５５の分割面３５１ａが平面状に形成されていない。また、ＦＰＣ１７は、分割面３５１ａに沿って金型間に配置されている。このようにすることにより、第２グロメット４５の溝部４９の環の軸方向を分割面３５１ａに平行にして、アンダーカット部が形成されるのを避けつつ、ＦＰＣ１７を圧入方向に対して傾斜させることができる。
【０１２６】
ただし、実施形態の金型１５１の方が、ＦＰＣ１７を直線状のまま金型間に保持できることから、ＦＰＣ１７を第２グロメット４５に対して正確に位置決めして、精度よく製品を形成することができる。
【０１２７】
閉塞部材は、グロメットとパッキンとを有するものに限定されない。例えば、弾性部材によりグロメットが形成され、パッキンが省略されてもよい。
【０１２８】
被当接部材及び被覆部材は、筐体を構成したり、携帯電子機器の外観を構成したりするものに限定されない。例えば、筐体の内部に設けられるシールドケースや回路基板等の電子部品であってもよい。
【０１２９】
第１の電子部品及び第２の電子部品は回路基板に限定されず、例えば、スピーカ、マイクロフォン、表示装置であってもよい。
【図面の簡単な説明】
【０１３０】
【図１】本発明の実施形態の携帯電話機を開状態で示す外観斜視図。
【図２】図１の携帯電話機を閉状態で示す外観斜視図。
【図３】図１の携帯電話機の筐体の内部を背面側から示す斜視図。
【図４】図３の状態からＦＰＣを取り外して示す分解斜視図。
【図５】図３のＶ−Ｖ線における断面図。
【図６】図４のＦＰＣを展開して示す斜視図。
【図７】図６の領域ＶＩＩにおける拡大図。
【図８】図７の第２グロメットの側面図。
【図９】図６のＦＰＣに設けられる第２グロメット等の形成方法を説明する斜視図。
【図１０】図９の領域Ｘの拡大図。
【図１１】図１０のＸＩ−ＸＩ線における断面図。
【図１２】図１０のＸＩＩ−ＸＩＩ線における金型の断面図。
【図１３】図１の携帯電話機の信号処理系の構成の一例を示すブロック図。
【図１４】本発明の変形例に係るグロメットを示す模式的な断面図。
【図１５】本発明の変形例に係る金型を示す模式的な断面図。
【符号の説明】
【０１３１】
１…携帯電話機（携帯電子機器）、５…表示側筐体（第１の筐体）２５…第２開口部、２９…閉塞部材、３３…フレキシブルプリント基板（ＦＰＣ：フレキシブル基板）。
【図１】
2010109260.tif 000003
【図２】
2010109260.tif 000004
【図３】
2010109260.tif 000005
【図４】
2010109260.tif 000006
【図５】
2010109260.tif 000007
【図６】
2010109260.tif 000008
【図７】
2010109260.tif 000009
【図８】
2010109260.tif 000010
【図９】
2010109260.tif 000011
【図１０】
2010109260.tif 000012
【図１１】
2010109260.tif 000013
【図１２】
2010109260.tif 000014
【図１３】
2010109260.tif 000015
【図１４】
2010109260.tif 000016
【図１５】
2010109260.tif 000017